【手続補正書】
【提出日】平成30年8月27日(2018.8.27)
【手続補正１】
【補正対象書類名】特許請求の範囲
【補正対象項目名】全文
【補正方法】変更
【補正の内容】
【特許請求の範囲】
【請求項１】
複数のレンズが配置されたレンズ板部材と、複数の開口部が配列された遮光部材とを備えたレンズユニットであって、
前記レンズと前記開口部とが一対一に対応し、前記レンズ板部材と前記遮光部材とのそれぞれの長手方向における所定位置の一部に第１の位置決め部が形成され、前記第１の位置決め部の輪郭は前記レンズの光軸方向と平行な方向に連続して配置されていること
を特徴とするレンズユニット。
【請求項２】
前記レンズ板部材と前記遮光部材との長手方向に複数の第２の位置決め部が配置され、前記第２の位置決め部の輪郭は前記レンズの光軸方向と平行な方向に連続して配置されていること
を特徴とする請求項１に記載のレンズユニット。
【請求項３】
前記レンズの配列方向と光軸方向とともに直行する方向を第３の方向としたとき、複数の前記第第２の位置決め部と前記レンズの前記第３の方向における間隔とが等しく形成されていること
を特徴とする請求項２に記載のレンズユニット。
【請求項４】
複数のレンズが配置されたレンズ板部材と、複数の開口部が配列された遮光部材とを備えたレンズユニットであって、
前記レンズと前記開口部とが一対一に対応し、前記レンズ板部材の長手方向に第３の位置決め部が形成され、複数の前記第３の位置決め部のレンズの光軸方向の高さが等しく形成されていること
を特徴とするレンズユニット。
【請求項５】
前記遮光部材の長手方向に第３の位置決め部が形成され、複数の前記第３の位置決め部のレンズの光軸方向の高さが等しく形成されていること
を特徴とする請求項４に記載のレンズユニット。
【請求項６】
前記レンズの配列方向において、前記第３の位置決め部の等しい位置にスリットが形成されていること
を特徴とする請求項４又は請求項５に記載のレンズユニット。
【請求項７】
前記レンズ板部材は２つ配置され、一方は物体の倒立縮小画像を形成し、他方は倒立縮小画像を倒立拡大画像を形成すること
を特徴とする請求項１乃至請求項６のいずれか１項に記載のレンズユニット。
【請求項８】
前記レンズは２列に配列されていること
を特徴とする請求項１乃至請求項７のいずれか１項に記載のレンズユニット。
【請求項９】
前記第１の位置決め部は前記レンズ板部材と前記遮光部材とのそれぞれの長手方向中央に形成されること
を特徴とする請求項１乃至請求項８の何れか１項に記載のレンズユニット。
【請求項１０】
請求項１乃至請求項９のいずれか１項に記載のレンズユニットを備えたＬＥＤヘッド。
【請求項１１】
請求項１乃至請求項９のいずれか１項に記載のレンズユニットを備えた露光装置。
【請求項１２】
請求項１乃至請求項９のいずれか１項に記載のレンズユニットを備えた画像形成装置。
【請求項１３】
複数のレンズが配置されたレンズ板部材と、複数の開口部が配列された遮光部材とを備え、前記レンズと前記開口部とが一対一に対応し、前記レンズ板部材と前記遮光部材とのそれぞれの長手方向における所定位置の一部に第１の位置決め部と複数の第２の位置決め部が形成され、前記第1の位置決め部及び前記第２の位置決め部のそれぞれの輪郭は前記レンズの光軸方向と平行な方向に連続して配置されたレンズユニットの製造方法であって、
前記第１の位置決め部が突き当てられる第１の突き当て部と、第２の位置決め部が突き当てられる第２の突き当て部とを備えた治具を用い、
前記第１の位置決め部を前記第１の突き当て部に突き当て、かつ、前記第２の位置決め部を前記第２の突き当て部に突き当てた状態で、複数の前記レンズ板部材と複数の前記遮光部材との接着を行う工程を有すること
を特徴とするレンズユニットの製造方法。
【請求項１４】
前記レンズ板部材と前記遮光部材とのそれぞれの長手方向に前記レンズの光軸方向の高さが等しく形成された複数の第３の位置決め部が配置されたレンズユニットの製造方法であって、
前記治具は前記第３の位置決め部が突き当てられる第３の突き当て部を更に備え、
前記第３の位置決め部を前記第３の突き当て部に突き当てた状態で、複数の前記レンズ板部材と複数の前記遮光部材との接着を行うこと
を特徴とする請求項１３に記載のレンズユニットの製造方法。
【手続補正２】
【補正対象書類名】明細書
【補正対象項目名】０００６
【補正方法】変更
【補正の内容】
【０００６】
上記課題を解決するために、本発明に係るレンズユニットは、複数のレンズが配置されたレンズ板部材と、複数の開口部が配列された遮光部材とを備えたレンズユニットであって、前記レンズと前記開口部とが一対一に対応し、前記レンズ板部材と前記遮光部材とのそれぞれの長手方向における所定位置の一部に第1の位置決め部が形成され、前記第１の位置決め部の輪郭は前記レンズの光軸方向と平行な方向に連続して配置されていることを特徴としている。
【手続補正３】
【補正対象書類名】明細書
【補正対象項目名】０００７
【補正方法】変更
【補正の内容】
【０００７】
また、本発明に係るＬＥＤヘッド、露光装置、及び画像形成装置は、複数のレンズが配置されたレンズ板部材と、複数の開口部が配列された遮光部材とを備え、前記レンズと前記開口部とが一対一に対応し、前記レンズ板部材と前記遮光部材とのそれぞれの長手方向における所定位置の一部に第1の位置決め部が形成され、前記第1の位置決め部の輪郭は前記レンズの光軸方向と平行な方向に連続して配置されたレンズユニットを備えることを特徴としている。
【手続補正４】
【補正対象書類名】明細書
【補正対象項目名】００４１
【補正方法】変更
【補正の内容】
【００４１】
次に、図７を用いて図６で示したＸ位置決め部について説明する。図６で示した例と同様に、レンズアレイ１は、第１のレンズ板１０及び第２のレンズ板１５のレンズ面の光軸が図７中Ｚ方向の鉛直方向となるように構成されている。レンズアレイ１は、下方からマスク２４、第１のレンズ板１０、遮光板２１、第２のレンズ板１５の順で配置されている。このとき、マスク２４のＸ位置決め部２７、第１のレンズ板１０のＸ位置決め部１３、遮光板２１のＸ位置決め部２５、及び第２のレンズ板１５のＸ位置決め部１８はレンズアレイ１における長手方向位置が略一致するように構成される。また、Ｘ位置決め部２７、１３、２５、１８の輪郭はレンズ面１１及びレンズ面１６の光軸方向と平行な方向に連続するように構成される。
【手続補正５】
【補正対象書類名】明細書
【補正対象項目名】００４２
【補正方法】変更
【補正の内容】
【００４２】
次に、図８を用いて図６で示したＹ位置決め部について説明する。図６及び７で示した例と同様に、レンズアレイ１は、第１のレンズ板１０及び第２のレンズ板１５のレンズ面の光軸が図８中Ｚ方向の鉛直方向となるように構成されている。レンズアレイ１は、下方からマスク２３、第１のレンズ板１０、遮光板２１、第２のレンズ板１５の順で配置されている。このとき、マスク２３のＹ位置決め部２８、第１のレンズ板１０のＹ位置決め部１４、遮光板２１のＹ位置決め部２６、及び第２のレンズ板１５のＹ位置決め部１９はレンズアレイ１における長手方向位置が略一致するように構成される。また、Ｙ位置決め部２８、１４、２６、１９の輪郭はレンズ面１１及びレンズ面１６の光軸方向と平行な方向に連続するように構成される。さらに、Ｙ位置決め部２８、１４、２６、１９はレンズアレイ１の長手方向及びレンズ面１１並びにレンズ面１６の光軸方向のいずれの方向にも直交する方向（図７中Ｙ方向）の位置が略一致するように構成される。